(57)【特許請求の範囲】
【請求項１】
垂木と該垂木上面に取り付けた野地板とを有し勾配屋根を構成する屋根パネルであって、
前記垂木の側面には屋根パネルを躯体に取り付けるための取付金具がボルトにより取り付けられており、
前記取付金具は、前記垂木に沿って取り付けられ前記ボルトを挿通するボルト孔が形成された起立片と該起立片の一方の端部側に設けられ且つ躯体に取り付けられる取付片とを有し、前記ボルト孔を中心に回転可能であり、
前記取付金具を回転させたとき、該取付金具の一方の端部に形成された接触部が前記野地板に接触して前記取付金具の回転を規制し得るように構成されたることを特徴とする請求項１に記載した屋根パネル。
【請求項２】
前記取付金具の一方の端部に形成された接触部が前記野地板に接触して回転が規制されたとき、該取付金具の起立片と野地板とのなす角度が、９０度から屋根の勾配角度を差し引いた角度と等しくなることを特徴とする請求項１に記載した屋根パネル。
【発明の詳細な説明】
【０００１】
【発明の属する技術分野】
本発明は、寄棟屋根等の勾配屋根を構成する際に用いて有利な屋根パネルに関するものである。
【０００２】
【従来の技術】
従来、寄棟屋根等の屋根を構成する場合、小屋組材を利用して現場で屋根構造及び垂木や野地板等を組み立てるのが一般的である。しかし、最近ではこのような屋根構造であっても、構造部材や屋根用のパネル等を工場生産することで、現場施工を少なくして工期の安定化や品質の安定化をはかるプレハブ工法が確立されつつある。例えば屋根パネルは、複数の垂木を平行に配置すると共に該垂木の上部に野地板を配置して両者を固定し、更に野地板の上面にルーフィング等の屋根下地を取り付けて構成されるのが一般的である。
【０００３】
ここで、現在行われている屋根パネルを屋根躯体に取り付ける手順について図６，７により説明する。図に於いて、建物の上部であって縁部に配置した軒梁51から所定寸法離隔した部位に、予め設定された高さを持った母屋52を配置して互いに連結する。前記母屋52は、下側の端部が建物の躯体に固定されることで配置位置の安定化をはかっている。
【０００４】
上記母屋52に屋根パネル53を躯体に取り付ける場合、屋根躯体を構成する軒梁51及び母屋52の上端部或いは上面であって、屋根パネル53を設置すべき位置に対応する位置に夫々取付金具54をボルトによって固定し、この取付金具54に屋根パネル53の垂木55をボルトによって締結することで、屋根パネル53を屋根躯体に固定している。
【０００５】
【発明が解決しようとする課題】
上記の如き従来の屋根パネルでは、該屋根パネルを取付金具上に仮置きしようとした場合、屋根パネルは取付金具の頂部に対し僅かな面積で接触するのみであり、該屋根パネルの荷重の取付金具の頂部を結ぶ方向の分力を支持する部材が存在しないため、屋根パネルが前記傾斜面に沿って滑り落ちる虞がある。
【０００６】
この問題は屋根パネルの垂木に予め取付金具を固定しておき、該取付金具の足を母屋パネルや梁の上面に載置することで解決し得るが、このように構成した屋根パネルでは、複数の取付金具が突出して輸送時のトラックに対する積載効率が悪くなるという問題が派生している。
【０００７】
本発明の目的は、トラックに対する積載効率を悪化させることなく、仮置きの問題を解決し得る屋根パネルを提供することにある。
【０００８】
【課題を解決するための手段】
上記課題を解決するために本発明に係る屋根パネルは、垂木と該垂木上面に取り付けた野地板とを有し勾配屋根を構成する屋根パネルであって、前記垂木の側面には屋根パネルを躯体に取り付けるための取付金具がボルトにより取り付けられており、前記取付金具は、前記垂木に沿って取り付けられ前記ボルトを挿通するボルト孔が形成された起立片と該起立片の一方の端部側に設けられ且つ躯体に取り付けられる取付片とを有し、前記ボルト孔を中心に回転可能であり、前記取付金具を回転させたとき、該取付金具の一方の端部に形成された接触部が前記野地板に接触して前記取付金具の回転を規制し得るように構成されたものである。
【０００９】
上記屋根パネルに於いて、前記取付金具の一方の端部に形成された接触部が前記野地板に接触して回転が規制されたとき、該取付金具の起立片と野地板とのなす角度が、９０度から屋根の勾配角度を差し引いた角度と等しくなることが好ましい。
【００１０】
上記屋根パネルでは、該屋根パネルを躯体に取り付けるための取付金具を垂木の側面に回転可能に設けたので、屋根パネルを運搬する際には垂木と略平行な位置まで回転させることで突出部がなく、或いは突出したとしても積載する際に邪魔になることがなく、トラックに対する積載効率が悪化することがない。そして、屋根パネルを躯体に仮置きする際には取付金具を垂木から突出させて固定することで、該取付金具を躯体の所定位置に仮置きしたとき、屋根パネルの荷重は取付パネルを介して垂直に躯体に伝達される。このため、仮置きした場合であっても、該屋根パネルが滑り落ちるようなことがない。
【００１１】
また、屋根パネルを躯体に取り付ける際の作業を容易に行うことが出来る。即ち、取付金具を回転させたとき、該取付金具の一方の端部に形成された接触部が野地板に接触して回転が規制されるため、この規制された位置で取付金具を垂木に対して固定することで、屋根パネルを躯体に仮置きし、更に固定する作業を容易に進行させることが出来る。
【００１２】
特に、取付金具の接触部が野地板に接触して回転が規制されたときに、両者のなす角度が９０度から屋根の勾配角度を差し引いた角度となるように構成することによって、取付金具を躯体に取り付けると同時に、屋根パネルを予め設定された勾配角度に設定することが出来る。
【００１３】
【発明の実施の形態】
以下、上記屋根パネルの好ましい実施形態について図を用いて説明する。図１は参考例に係る取付金具を用いた屋根パネルの構成を説明する図である。図２は図１に示す屋根パネルの要部の構造を説明する図である。図３は第１実施例に係る取付金具を用いた屋根パネルの要部を説明すると共に躯体に取り付ける際の状態を説明する図である。図４は第１実施例に係る取付金具の構成を説明する３面図である。図５は他の実施例に係る取付金具を説明する図である。
【００１４】
先ず、参考例に係る取付金具３を用いた屋根パネルＡの構成について図１，２により説明する。屋根パネルＡは工場にて生産され、建築現場に搬入されるまでの間、工場又は倉庫に積載されて貯蔵され、更に、トラック等に積載されて目的の建築現場まで運搬される。
【００１５】
図に於いて、屋根パネルＡは目的の寄棟屋根の一部を構成するものであり、複数の垂木１と、垂木１の上面に取り付けた野地板２と、垂木１に回転可能に取り付けた参考例に係る取付金具３を有して構成されている。野地板２は垂木１に対し図示しない釘やビス等の固定具によって固定されており、必要に応じて上表面にルーフィング等の下地材が施されている。また取付金具３は垂木１の所定位置に回転可能に取り付けられている。
【００１６】
垂木１は野地板２を取り付ける機能を有するものであり、木材や鋼材を用いることが可能である。本参考例及び後述する第１実施例では、垂木１として軽量溝形鋼を用いている。また野地板２は合板や同様の材料からなる板材を用いることが可能であり、本参考例及び後述する第１実施例では所定の厚さを持った合板を用いている。
【００１７】
取付金具３はボルト４を介して垂木１に取り付けられており、該ボルト４をきつく締め付けることで垂木１に対し回転不能に、即ち、固定した状態で取り付けられる。またボルト４をゆるく締め付けることで垂木１に対し回転可能に取り付けられている。
【００１８】
取付金具３を垂木１に対してきつく締め付けるかゆるく締め付けるかは、屋根パネルＡの現在の状態に対応して設定される。即ち、屋根パネルＡを運搬し或いは貯蔵しておく場合には、取付金具３を垂木１と平行に回転させて、或いは取付金具３の垂木１からの突出寸法が小さくなるように回転させてゆるく締め付けた状態に保持することが好ましく、屋根パネルＡを躯体に取り付ける際には取付金具３を垂木１に対し所定の角度まで回転させてきつく締め付けることで強固に固定する。
【００１９】
取付金具３の垂木１に対する配置位置は、屋根パネルＡを取り付けるべき躯体の構造に対応している。例えば、本実施例では、屋根の躯体を従来の技術で説明したのと同様に、屋根を構成する構面上に軒梁と一定の間隔を持って母屋パネルを配置すると共に該母屋パネルを構面に固定して屋根の躯体を構成し、前記軒梁と母屋パネルに取付金具３を固定することで、屋根躯体に屋根パネルＡを取り付けるように構成している。従って、本実施例に係る屋根パネルＡでは、垂木１の長手方向の２カ所に取付金具３を配置している。
【００２０】
次に、第１実施例に係る取付金具10を用いた屋根パネルＡの構成について図３，４により説明する。尚、図に於いて屋根パネルＡを構成する垂木１，野地板２は前述の参考例と同一であり、且つ垂木１に対する取付金具10の配置位置も同一である。
【００２１】
取付金具10は、垂木１に沿って取り付けられる起立片10ａと、起立片10ａの一方の端部側に設けられ且つ躯体に取り付けられる取付片10ｂと、取付片10ｂの一方の端部に設けられ躯体の一部に係止する係止片10ｃとを有して構成されている。また起立片10ａの所定位置には垂木１に取り付ける際にボルト４を挿通するボルト穴10ｄが形成され、取付片10ｂには躯体に取り付ける際にボルトを挿通するボルト穴10ｄが形成されている。
【００２２】
更に、起立片10ａの自由端側には斜面10ｅ，10ｆが形成されている。前記斜面10ｅは取付金具10をボルト４を中心として回転させたとき、起立片10ａの端部が垂木１の一部又は野地板２に干渉することなく逃げるためのものである。また斜面10ｆは取付部材10の一方の端部に形成された接触部となるものであり、取付金具10を回転させたとき、野地板２に接触して回転を規制する機能を有するものである。そして斜面10ｆが野地板２に接触したとき、野地板２と起立片10ａのなす角度が９０度から屋根の勾配角度を差し引いた角度に一致し得るように構成されている。
【００２３】
このため、起立片10ａに形成したボルト穴10ｄから斜面10ｆまでの距離は、垂木１に形成されたボルト穴の位置，垂木１の幅寸法，屋根の勾配角度，取付金具10を構成する起立片10ａの幅寸法等の条件に応じて適宜設定される。また取付金具10の回転に伴って斜面10ｆが野地板２と接触したとき、該斜面10ｆは必ずしも全面が接触する必要はなく、一部が接触しても良い。この場合であっても、回転を規制すると共に野地板２と起立片10ａのなす角度を９０度から屋根の勾配角度を差し引いた角度に一致させることが可能である。
【００２４】
上記の如く構成された取付金具10を垂木１に回転可能に取り付けた屋根パネルＡでは、図３（ａ）に示すように、取付金具10を垂木１と平行にして仮固定することで該垂木１からの突出物がなく、運搬時にトラックに対する積載効率を低下させることがなく、また製造後の屋根パネルＡを貯蔵する際にも安定した状態で積載しておくことが可能である。
【００２５】
また屋根パネルＡを躯体に取り付ける際には、取付金具10をボルト４を中心として回転させたとき、この回転に伴って斜面10ｆが野地板２に接触することで回転が規制されると同時に起立片10ａが野地板２に対し９０度から屋根の勾配角度を差し引いた角度となる。
【００２６】
従って、上記の状態で、取付片10ｂを躯体５に載置したとき、同図（ｂ）に示すように、屋根パネルＡの荷重は取付片10ｂを介して躯体５に垂直に作用して安定した載置状態を維持することが可能である。特に、本実施例では、係止片10ｃが躯体５と係合して安定するため、多少の外力が作用した場合であっても、屋根パネルＡが滑り落ちることがない。即ち、屋根パネルＡを躯体５に安全に仮置きすることが可能である。
【００２７】
そして取付金具10の取付片10ｂをボルト６ａ，ナット６ｂによって躯体５に締結することで、屋根パネルＡを躯体５に取り付けることが可能である。
【００２８】
尚、本実施例に係る取付金具10では係止片10ｃを形成して躯体５に係合し得るように構成したが、この係止片10ｃは必ずしも必要なものではない。即ち、取付片10ｂを躯体５に載置することによって屋根パネルＡの荷重は起立片10ａを介して躯体５に伝達され、更に、取付金具10の斜面10ｆが野地板２に接触しているため、特にボルト４をきつく締め付けなくとも垂木１及び野地板２が動くことがなく、安定した状態で仮置き姿勢を維持することが可能である。特に、斜面10ｆが野地板２と接触するため、面接触となり、野地板２に作用する力を、垂木１，ボルト４の経路以外に斜面10ｆを介して伝達することも可能となり、力学的な見地からも有利である。
【００２９】
次に、他の実施例に係る取付金具の構成について図５により説明する。尚、図に於いて符号ａ〜ｆは前述した取付金具10に於ける符号ａ〜ｆと同一部分を示している。
【００３０】
同図（ａ）に示す取付金具11は、躯体５に於ける取付金具11の取付位置（躯体５に形成されたボルト穴の位置）が屋根パネルＡを構成する垂木１の配置の直下にあたるような場合に利用されるものである。
【００３１】
取付金具11は、起立片11ａと、取付片11ｂとを有しており、起立片11ａが取付片11ｂの略中央に位置するように折曲成形されている。従って、起立片11ａは躯体５に形成したボルト穴の位置を回避しており、前記ボルト穴と垂木１との位置関係が如何なる場合であっても利用することが可能である。
【００３２】
取付金具11の起立片11ａには、前述した取付金具11と同様に、所定位置にボルト４を挿通するボルト穴11ｄが形成されており、自由端側には２つの斜面11ｅ，11ｆが夫々形成されている。
【００３３】
尚、本実施例に係る取付金具11では、起立片11ａが折曲成形されているため、垂木１に対しボルト４を中心として回転させたとき、起立片11ａの折曲部が垂木１に当接して回転を規制し、該取付金具11を垂木１と平行な姿勢にまで回転させることが不可能である。しかし、起立片11ａが垂木１に当接するまで回転させた状態で仮固定することで、取付金具11の垂木１からの突出寸法を小さくすることが可能であり、この状態で充分に積載効率を悪化させることがない。
【００３４】
同図（ｂ）に示す取付金具12は、前述した取付金具10の取付片（10ｂ）に係止片（10ｃ）が形成されていない点で異なるものである。従って、前記係止片10ｃ以外の構成は全く同一である。前述したように、係止片は必要に応じて適宜設けることが可能であり、取付金具10は係止片10ｃを設けたもの、取付部材12は係止片を設けていないものである。
【００３５】
同図（ｃ）に示す取付金具13は、前述した各取付金具10〜12に対し勝手違いに構成されたものであり、例えば、図１に示す屋根パネルＡに於ける左側の垂木１に取り付けて利用するものである。この取付金具13では、取付片13ｂに補強片13ｇが設けられており、該補強片13ｇによって取付片13ｂの曲げ剛性を向上させたものである。
【００３６】
上記の如く、取付片13ｂに補強片13ｇを設けることによって、屋根パネルＡに躯体５からの引き剥がし力が作用したような場合、この力に伴って起立片13ａに引張力が作用し、これにより、取付片13ｂに曲げ力が作用しても、この曲げ力に対抗することが可能となる。
【００３７】
【発明の効果】
以上詳細に説明したように本発明に係る屋根パネルでは、垂木に対し取付金具を回転可能に取り付けることによって、運搬時或いは貯蔵時には取付金具を垂木と平行に配置して仮固定することで突出物をなくし、或いは突出寸法を小さくすることで、積載効率を向上することが出来る。
【００３８】
また取付金具を回転させたとき、該取付金具の接触部が野地板と接触して回転を規制し、更に、前記状態に於いて取付金具の野地板に対する角度が９０度から屋根の勾配角度を差し引いた角度と一致させることによって、取付金具を回転させたとき、該取付金具が野地板と接触して回転が規制され、このとき、取付金具と野地板を屋根の勾配角度に対応させることが可能となる。
【００３９】
このため、取付金具を躯体に載置することによって屋根パネルの荷重は取付金具を介して躯体に伝達され、且つ野地板が取付金具に対して安定した状態に保持される。従って、屋根パネルを躯体に仮置きする際にも、該屋根パネルが滑り落ちることがなく、安定した状態を保持することが出来る。このため、作業を容易に進行させることが出来る。
【００４０】
また取付金具を回転させて接触部が野地板に接触したときに該野地板と取付金具のなす角度が９０度から屋根の勾配角度を差し引いた角度となるため、取付金具を固定する際に角度を調整する必要がなく、作業を容易に進行させることが出来る。特に、１個の屋根パネルに対して取り付けられている取付金具の数が多いため、作業効率を上げることが容易である。
【図面の簡単な説明】
【図１】参考例に係る取付金具を用いた屋根パネルの構成を説明する図である。
【図２】図１に示す屋根パネルの要部の構造を説明する図である。
【図３】第１実施例に係る取付金具を用いた屋根パネルの要部を説明すると共に躯体に取り付ける際の状態を説明する図である。
【図４】第１実施例に係る取付金具の構成を説明する３面図である。
【図５】他の実施例に係る取付金具を説明する図である。
【図６】従来の屋根構造を説明する図である。
【図７】従来の屋根構造に於ける垂木を母屋に固定する構造を説明する図である。
【符号の説明】
Ａ                      屋根パネル
１                      垂木
２                      野地板
３，10，11，12，13      取付金具
４                      ボルト
５                      躯体
６ａ                    ボルト
６ｂ                    ナット
10ａ〜13ａ              起立片
10ｂ〜13ｂ              取付片
10ｃ                    係止片
10ｄ〜13ｄ              ボルト穴
10ｅ〜13ｅ，10ｆ〜13ｆ  斜面
10ｇ〜13ｇ              補強片
【図１】
0004111635.tif 000002
【図２】
0004111635.tif 000003
【図３】
0004111635.tif 000004
【図４】
0004111635.tif 000005
【図５】
0004111635.tif 000006
【図６】
0004111635.tif 000007
【図７】
0004111635.tif 000008